(57)【要約】【課題】携帯型デジタル放送受信機用の放送では、伝送される番組情報が少なく、携帯型受信機のＥＰＧで表示できる番組情報が少ない。【解決手段】受信および蓄積済みの番組情報を記録装置に書き込む手段を備えた固定型デジタル放送受信機と、記録装置から番組情報を読み取る手段および、その番組情報と受信した番組情報とを統合し、番組表として表示する手段を備えた携帯型デジタル放送受信機によって解決する。【選択図】図２
2006041583.tif 000002
【特許請求の範囲】
【請求項１】
携帯型デジタル放送受信機は、固定型デジタル放送受信機が受信した番組情報データを取り込み、前記携帯型デジタル放送受信機が受信した番組情報データと前記固定型デジタル放送受信機から取り込んだ番組情報データとを統合して、前記固定型デジタル放送受信機の映像出力手段に対して、統合された番組情報を表示することを特徴とした、デジタル放送受信機における放送番組情報の表示方法。
【請求項２】
請求項１記載の放送番組情報の表示方法において、前記携帯型デジタル放送受信機および前記固定型デジタル放送受信機は番組情報記録手段を備え、前記固定型デジタル放送受信機は受信した番組情報データを前記番組情報記録手段を用いて番組情報記録装置に記録し、前記携帯型デジタル放送受信機は、前記番組情報記録装置に記録された番組情報データを前記携帯型デジタル放送受信機が備える番組情報記録手段を用いて読み取り、番組情報データを取り込むことを特徴としたデジタル放送受信機における放送番組情報の表示方法。
【請求項３】
請求項２記載の放送番組情報の表示方法において、前記固定型デジタル放送受信機および前記携帯型デジタル放送受信機は番組情報伝達接続手段を備え、前記固定型デジタル放送受信機から前記携帯型受信機に対して番組情報データを転送することを特徴としたデジタル放送受信機における放送番組情報の表示方法。
【請求項４】
請求項３記載の放送番組情報の表示方法において、前記固定型デジタル放送受信機は電源供給手段を備え、前記番組情報伝達接続手段を用いて電源供給を行い、前記携帯型デジタル放送受信機には前記携帯型デジタル放送受信機が備える前記番組情報伝達手段を用いて電源の供給を受付けることができる充電手段を備え、前記固定型デジタル放送受信機から前記携帯型受信機への電源供給機能を特徴としたデジタル放送受信機。
【請求項５】
固定型デジタル放送受信機は予約情報制御手段を備え、前記固定型デジタル放送受信機は番組情報データに加えて、前記予約情報制御手段から読み出した録画予約情報を併せ、前記固定型デジタル放送受信機自らが備える番組情報記録装置に記録し、前記携帯型受信機は前記番組情報記録装置から録画予約情報を読み込み、前記携帯型受信機が備える表示手段を用いて予約情報を表示することを特徴とする請求項２に記載のデジタル放送受信機。
【請求項６】
携帯型デジタル放送受信機は、現在時刻があらかじめ決められた時刻となったときに、使用者に通知を行うアラーム手段を備え、前記携帯型デジタル受信機が備える録画予約情報蓄積手段に蓄積してある予約情報中の番組開始時刻をアラーム設定時刻とすることを特徴とした、請求項５記載のデジタル放送受信機。
【請求項７】
固定型デジタル放送受信機は予約情報制御手段を備え、前記固定型デジタル放送受信機は番組情報データに加えて、前記予約情報制御手段から読み出した録画予約情報を併せて自らが備える番組情報記録装置に記録し、携帯型受信機は前記番組情報記録装置から録画予約情報を併せて読み込み、前記携帯型受信機が備える表示手段を用いて録画予約情報を表示することを特徴とする請求項３に記載のデジタル放送受信機。
【請求項８】
携帯型デジタル放送受信機は、現在時刻があらかじめ決められた時刻となったときに、使用者に通知を行うアラーム手段を備え、前記携帯型デジタル受信機が備える予約情報制御手段に蓄積してある予約情報中の番組開始時刻をアラーム設定時刻として前記アラーム手段に設定することを特徴とした、請求項４記載のデジタル放送受信機。
【発明の詳細な説明】
【技術分野】
【０００１】
本発明は、放送受信装置および放送データの表示方法に関し、特に１セグメント放送だけを受信することが可能な放送受信装置が、ＥＰＧ等を用いて番組情報を表示する際の方法に関する。
【背景技術】
【０００２】
近年、ＢＳデジタル放送をはじめとするデジタル放送の受信機の多くは、番組情報データの表示機能のひとつである電子番組表（ＥＰＧ）の表示機能を基本機能として備え、さらにはその電子番組表を利用した録画予約機能なども実現できるようになった。しかしながら、携帯電話や携帯情報端末をはじめとする携帯機器にデジタル放送の受信機能を組み込むことは、変調方式の問題、携帯機器で処理できる情報量の少なさ、表示解像度制限の問題などもあり、これまでは実現が難しかった。しかし、近年、機器の処理性能の向上や処理デバイスの小型化、携帯受信用の送出規格の策定など、携帯機器でデジタル放送を受信できる環境が整ってきた。
【０００３】
このような環境を背景とし、携帯受信機単独では番組情報を受信し蓄積できる記憶手段の確保が難しいため、当該受信機の他に送信中の番組情報を全て受信し蓄積する機能とネットワーク機能とを搭載した情報端末を想定した装置が公知であった（例えば、特許文献１参照）。一方、携帯受信機ではすべての番組情報を蓄積することが難しいため、前記の情報端末側に対して番組情報をはじめとする様々な情報を電子メールの形式で送受信できるようにし、その結果、携帯端末側の蓄積容量不足などを解決し、番組情報をはじめとする情報を利用できるようにした。
【特許文献１】特開２００３−３０９７３４号公報
【発明の開示】
【発明が解決しようとする課題】
【０００４】
ＥＰＧを放送受信機で表示するための方法はいくつか存在するが、日本国内のデジタル放送では主にＥＩＴと呼ばれるイベント情報テーブルをはじめとした番組情報データをセクションデータとして放送局から送信する。放送受信機はその番組情報データを受信し解析をおこないメモリ上に蓄積を行う。一般的なＥＰＧが備える基本的な機能は、サービスと呼ばれるチャンネルの情報とイベントと呼ばれる番組のタイトルや内容、開始時間などの番組情報を時間軸上に表示するものである。図１１に番組表のイメージを表示する。ＢＳデジタル放送の運用では、テレビ番組に関しては８日分の番組情報表示を可能にするために、８日分のテレビ番組情報を周期的に送信しつづけている。
【０００５】
一方、地上波デジタル放送に関しても同様にＥＩＴを用いた番組情報の送信が行われているが、地上波デジタル放送では固定／移動／携帯受信機をターゲットとした情報量の異なる３種類のＥＩＴが存在する。それぞれ、固定受信機向けにＨ−ＥＩＴ、移動受信機向けにＭ−ＥＩＴ、携帯受信機向けにＬ−ＥＩＴと呼ぶ。固定受信機向けのＥＩＴに関しては、ほぼＢＳデジタル放送と同様の運用が行われており、受信機は８日分のテレビ番組情報を表示することが可能である。携帯受信機向けの放送は、放送される信号の帯域が狭いことが特徴である。
【０００６】
固定受信機向け放送では、ひとつのチャンネルを通常およそ１２セグメントという帯域幅で送信するが、携帯受信機向け放送では１セグメントという狭帯域での放送が行われる。それは、携帯受信機が表示できる表示装置の解像度が非常に低く、表示画面サイズも小さいため、低ビットレートの映像信号でも映像品質を確保できるためである。それに伴い、携帯受信機向けの番組情報であるＬ−ＥＩＴは、Ｈ−ＥＩＴに比べて情報量が少ない。地上波デジタル放送の運用規定では、Ｌ−ＥＩＴで送出することができるイベント数は最大１０イベントとなっており、現在放送されている番組を含めてそれ以降の最大１０番組の番組情報しか送出されない。つまり、携帯受信機がＥＰＧとして表示できる番組の数は、固定受信機に比べ相対的に少なく、通常は一日分の番組表さえ蓄積および表示することができない。
【０００７】
このため、例えば固定受信機で実現しているＥＰＧを利用した８日分の録画予約設定機能については、携帯受信機では最大１０番組先の番組予約しか行うことができない。従来の技術である特開２００３−３０９７３４号公報では、これを解決するために、電子メールおよび専用の情報端末を備えることを特徴としているが、ネットワーク接続機能が必須であり、場合によってはデータを取得する際に通信料金が発生するケースもある。また、受信端末以外に専用の情報端末をあらたに用意することが必要である。
【０００８】
本発明は、受信できる番組情報量が少ない携帯受信機においても、固定受信機並みのＥＰＧデータを表示させることを実現するものであり、その際、ネットワーク接続機能などのない機器でもデータの取得を可能にし、なおかつ、情報端末のような特別な外部機器を用意することなく実現するものである。
【課題を解決するための手段】
【０００９】
上記課題を解決するために、本願発明では１セグメントデータを受信する携帯受信機と、複数セグメントを受信できる固定受信機とを連携させることによって、課題の解決を図る。
【００１０】
ここでは、１セグメントデータで送信される番組情報データをＬ−ＥＩＴと呼び、複数セグメントで送信される番組情報データを、Ｈ−ＥＩＴと呼ぶ。Ｌ−ＥＩＴおよびＨ−ＥＩＴは共にＥＩＴ形式で構成されており、相互のデータ互換性は高い。またＬ−ＥＩＴデータとＨ−ＥＩＴデータは放送局から同時に生成、送信されるため、番組情報の内容に関する整合性も高い。ここで、Ｌ−ＥＩＴの番組情報しか受信できない携帯受信機が、同時に送信されているＨ−ＥＩＴデータを取得することが可能になれば、携帯受信機におけるＥＰＧ表示性能の向上を容易に実現できる。
【００１１】
しかも、放送のデジタル化に伴いすべての固定受信機がデジタル放送対応となることを考慮すると、固定受信機に連携機能さえ追加すれば、新たな機器を購入することなく、容易に携帯受信機と連携させ、ＥＰＧ表示等を実現できる。
【００１２】
具体的にデータを連携ささせる方法のひとつに、メモリーカードを用いる方法が考えられる。まず、固定受信機で蓄積した番組情報データをメモリーカードへコピーし、そのカードを携帯受信機に挿入する。携帯受信機はメモリーカードからその番組情報を読み出すことによって、携帯受信機では受信できない番組情報データの取得が可能になる。さらに、固定受信機と携帯受信機の固有のデータの連携も実現できる。
【００１３】
メモリーカードのほかにも、ケーブルでの接続、ネットワークでの接続、赤外線での接続等の方法などを利用し、番組情報データを固定受信機から携帯受信機へ取り込むことができる。
【発明の効果】
【００１４】
以上述べたように、携帯受信機での受信を想定した１セグメント放送では、現在番組を含めて最大１０番組しか番組情報であるＥＩＴが送信されておらず、さらに、現在視聴しているチャンネルのＥＩＴのみしか送信されない。視聴中以外のチャンネルのＥＩＴを取得するためには、そのチャンネルを選局するか、以前選局していたＥＩＴをメモリ等に蓄積しておくことが必要になる。
【００１５】
このような環境のもとで、携帯受信機でＥＰＧなどの番組情報データを表示する場合、当然、固定受信機のそれと比べて表示可能な日数も少なく、チャンネル数も少ない場合も考えられる。また携帯受信機では消費電力を抑え、動作時間を確保することが重要であることから、使用者が放送を受信し視聴していない時にバックグラウンドで受信可能なチャンネルを自動選局しＥＩＴデータを取得することも難しい。
【００１６】
しかしながら、携帯電話をはじめとする携帯機器は、使用者が常に持ち歩くことができ、時間や場所に捉われずに使用することが可能であるなど、使用者にとっては利便性が非常に高く、放送受信機能を備える携帯受信機にとって、ＥＰＧを表示できることは利用者にとって非常に有用である。
【００１７】
従来は、インターネットを利用し、Ｗｅｂに接続したり電子メールを利用することで番組情報データを取得する方法が提案されてきたが、本発明では、番組情報データを取得する方法として、固定受信機を利用する方法を採用した。インターネットを利用する方法に比べ、ネットワークの接続環境を備える必要がない点、ネットワークを利用する際の通信料金が発生しない点、従来の固定受信機と携帯受信機に対して少ない機能追加で実現することが可能となる点などの特徴がある。
【００１８】
具体的には、固定受信機が受信し蓄積している番組情報データを、携帯受信機が読込み、その番組情報データを利用するという仕組みであるが、固定受信機は２０１１年のアナログ放送の停止時には、現在あるアナログテレビがすべてデジタル放送の固定受信機に置き換わる。つまり現在家庭に複数台あるテレビがすべてデジタル放送の固定受信機となるということである。つまり、本発明は固定受信機と連携することにより実現できる番組情報の表示方法であるが、将来的にはほぼすべての家庭にはデジタル固定型受信機が存在することになり、本請求の方法を実現することも、比較的容易である。
【００１９】
さらに、本発明では携帯受信機と固定受信機との間で番組情報データをやりとりする方法を、最も汎用的なメモリーカードや、ＵＳＢ接続等の有線接続などを用い実現した。さらにＵＳＢ接続時に固定受信機から携帯受信機に対して電源供給を行うことも可能であり、その場合、携帯端末の充電時と番組情報データの更新作業を一度に行えることも可能になり、使用者の利便性向上の面でも効果をあげることができる。
【００２０】
携帯受信機と固定受信機との間でやりとりするデータとしても、録画予約情報を加えることで、固定受信機で設定した録画予約情報を携帯受信機で参照し、さまざまな形に利用することができる。例えば、携帯受信機が表示する番組表に録画予約された番組の情報を表示する機能以外にも、予約録画開始時刻を携帯受信機のアラーム機能の設定時刻とし、予約された番組の開始を、携帯受信機のアラームで使用者に通知するという使い方等も可能である。
【００２１】
本発明によって、携帯受信機で扱える番組情報データを他から補うだけでなく、お互いの受信機にとっての機能拡張の実現も可能である。
【発明を実施するための最良の形態】
【００２２】
以下、本発明の実施の形態を添付図面に基づき詳細に説明する。
【００２３】
（実施の形態１）
本発明の実施の形態で示すデジタル放送受信機における放送番組情報の表示方法は、携帯型デジタル放送受信機と固定型デジタル放送受信機のふたつの受信機によって実現できる。今後、固定型デジタル放送受信装置を固定受信機、携帯型デジタル放送受信装置を携帯受信機と呼び、説明を行う。
【００２４】
図１は請求項１および２に記載の放送受信装置における番組情報データの表示方法について説明するものである。まず、図１は固定受信機の全体構成を示すブロック図である。本発明の固定受信機の特徴は、受信もしくは受信後に蓄積した番組情報データを制御手段からの指示により記録装置に書き出す番組情報記録手段を備えることである。
【００２５】
図２は携帯受信機の全体構成を示すブロック図である。この携帯受信機の特徴は、図１の固定受信機が番組情報データを記録した番組情報記録装置から、制御手段からの指示によりデータを読み出す機能を有し、そこで取得した番組情報と携帯受信機で受信した番組情報とを統合する番組情報統合手段を持つことである。
【００２６】
図１において、１０１は受信手段であり、番組情報と放送番組自体の両方を含むデータを受信する。デジタル放送受信機においては、この受信手段は一般にフロントエンドとよばれ、チューナや復調装置から構成される。デジタル放送受信機においては受信手段の出力はさまざまな番組や情報が重畳されたデータストリームである。１０２は信号分離手段であり、番組表を構成するために必要な番組情報データを受信手段の出力から分離する作用を持つ。本実施の形態では受信手段は放送番組の受信も兼ねるため、放送番組と番組情報データとに分離する。
【００２７】
デジタル放送受信機においては、信号分離手段はデマルチプレクサあるいはトランスポートデコーダと呼ばれるブロックが相当する。１０３は映像音声再生手段であり、受信信号から分離された放送番組本体の再生を司る。デジタル放送受信機では、圧縮エンコードされた映像音声のストリームを入力として、映像と音声とを再生する作用を持ち、通常はオーディオデコーダ、ビデオデコーダと呼ばれるブロックがこの部分の作用を受け持つ。制御手段１０４では信号分離手段で分離した番組情報データを番組情報蓄積手段１０８に指示し蓄積処理を行う。
【００２８】
また、制御手段は信号分離手段が分離した番組情報データや既に蓄積してある番組情報データを番組情報蓄積手段１０８から読み出し、番組表に表示すべき番組データを検索する。制御手段は番組表の表示を構成するために必要なレイアウトと表示要素を全て構成する。１０５は表示制御手段であり、制御手段で構成された表示情報を用いて実際の画面への表示を行う。この表示制御手段では、グラフィックス画面への描画処理を行う。描画された画面は、合成手段１０６によって、映像音声再生手段による番組本体の映像出力と合成あるいは切り替えられて利用者に提示される画面に出力される。また、制御手段は番組情報蓄積手段に蓄積してある番組情報を読み出し、番組情報記録手段１０７に挿入してある番組情報記録装置１０９に書き込みを行う。この処理は、制御手段が利用者からの操作入力を受付けて開始する場合や、番組情報記録手段に番組情報記録装置が挿入された場合などに行われる。
【００２９】
次に、本発明の実施の形態１の動作について説明する。映像音声の再生や番組表の構成など従来の技術範囲に含まれる内容については説明を省略し、制御手段１０４、番組情報蓄積手段１０８、番組情報記録手段１０７について説明する。制御手段は番組情報データを番組情報蓄積手段１０８を用いて蓄積するように指示を出すが、この番組情報データの形式としては、ＳＩとよばれる番組情報を格納するセクションテーブルを用いる。最終的に番組表を構成し表示するためには、数種類のＳＩテーブルを必要とする。デジタル放送のネットワーク情報はＮＩＴ、サービス情報はＳＤＴ、各番組の番組情報はＥＩＴとよばれるＳＩテーブルに、それぞれ格納され放送波として送信される。番組情報蓄積手段１０８にて保存されるデータのデータ形式としては、送出されるＳＩテーブル形式を使用することも可能であるが、システムやアプリケーションに合わせて独自のデータ構造をとっても構わない。
【００３０】
これらのＳＩテーブルは、周期的に絶え間なく送信されているが、通常は送られてくるセクションの内容は変化しないため、同じ内容のものが送出されている。内容が変化した場合には、ＳＩテーブルのヘッダ情報にあるｖｅｒｓｉｏｎ＿ｎｕｍｂｅｒとよばれる５ビットからなるデータの値がインクリメントする。内容が変化した場合には、制御手段１０４は番組情報蓄積手段１０８を用いて蓄積している番組情報データの更新保存処理を行う。また、番組情報蓄積手段１０８には、フラッシュメモリ等が用いられ、電源が落ちた場合でもデータの内容は保護される。
【００３１】
番組情報を伝送するＳＩテーブルの中で最も情報量が多いセクションテーブルはＥＩＴである。ＥＩＴは、各番組のタイトル、番組内容、詳細内容、コピー制御情報など、特定の番組に関連する情報を扱うことができる。ＥＩＴには、大きく分けてスケジュールＥＩＴとｐ／ｆＥＩＴの二種類が存在する。例えばＥＰＧに８日分のデータを表示する際には、８日分の番組データが必要になるが、そのデータの大部分はスケジュールＥＩＴを使用して送出される。通常ひとつのスケジュールＥＩＴは、ひとつのチャンネルの番組データ３時間分が収められている。したがってＥＰＧですべてのチャンネルで、８日分の番組情報を表示するためには、多くのスケジュールＥＩＴを取得しておく必要がある。一方、ｐ／ｆＥＩＴは、データ構造はほぼ同じであるが時間的な範囲がスケジュールＥＩＴとは異なり、現在放送されている番組とその次に放送される番組の情報しか送出されない。
【００３２】
本実施の形態では、スケジュールＥＩＴを、１チャンネルで１日単位のデータとして保存する場合について説明する。番組情報蓄積手段１０８は、ファイルシステムの仕組みを導入して、ファイル単位で番組データを管理する。ファイルシステムは、フラッシュメモリに対応した汎用のファイルシステムを利用することができる。スケジュールＥＩＴのファイルを、例えば下記のような名前で表現できる。
【００３３】
”ＥＩＴ＿ＣＦ２Ｂ＿００１０＿４０１０＿００１”
最初の３文字は、このファイルがスケジュールＥＩＴであることを表し、２番目の３文字は修正ユリウス日を１６進数で表す。例えば、０ｘＣＦ２Ｂは西暦２００４年１月３１日を表す。３番目の三文字はオリジナルネットワークＩＤ、４番目の３文字はトランスポートストリームＩＤ、５番目の三文字はサービスＩＤを表す。このようなファイル名にすることで、ファイル名だけでどの時間帯のどのサービスの番組情報が記述されているかどうかを判断することが可能になる。
【００３４】
制御手段１０４は、番組情報記録手段１０７を用いて番組情報記録装置１０９に番組情報データの記録を行う。番組情報記録装置１０９には、メモリーカード等の取り外し可能なフラッシュメモリ媒体を用いることができる。その理由は、固定受信機で記録した番組情報データを携帯受信機で読み込ませることが目的であるからである。本実施の形態ではメモリーカードを番組情報記録手段１０７であるメモリーカードスロットに挿入し、制御手段からのメモリアクセスを可能にする。
【００３５】
番組情報記録手段１０７は、メモリーカードがメモリーカードスロットに挿入されるとその挿入動作を検知し、挿入通知信号を制御手段１０４に送る。また、制御手段１０４は使用者からの操作入力を受付けることができ、メモリーカードがメモリースロットに挿入された状態で、番組情報データ記録指示に相当する操作入力が行われると、制御手段１０４に対して指示信号が通知される。上記のふたつの通知指示のいずれかが発生した場合、制御手段はメモリーカード内のＥＩＴファイルのチェックおよび、蓄積手段１０８において蓄積されているＥＩＴファイルのチェックを行う。チェックの内容としては、現在時点よりも過去のＥＩＴデータがあればメモリーカード上のＥＩＴファイルの削除を行い、蓄積手段１０８に存在してメモリーカードに存在しないデータについては、メモリーカード上にコピーを行う。メモリーカードと蓄積手段１０８の両方に存在し、内容が異なる場合は、蓄積手段上のＥＩＴデータをメモリーカードに上書き保存処理を行う。このような処理をした結果、番組情報記録装置１０７のメモリーカード上のデータは蓄積手段１０８上のＥＩＴデータと同じ状態となる。
【００３６】
図２は地上デジタル放送の１セグメント放送を受信する携帯受信機の全体構成を示すブロック図である。本発明の携帯受信機の特徴は、表示する番組情報データを外部の記憶装置を利用し取り込むことができる番組情報記録手段を有することである。携帯受信機も基本的なデジタル放送受信機の構成要素を備えており、２０１、２０２、２０３、２０４、２０５、２０６、２０７、２０８に関しては、図１に示す固定受信機と同様の動作を行う。番組情報統合手段２１０は、番組情報蓄積手段２０８において蓄積された番組情報データと、番組情報記録装置２０９から読み出した番組情報データとの統合を行い。その番組表データは、制御手段２０４によって番組表として表示される。
【００３７】
図２の携帯受信機の動作を説明する。固定受信機と同様、映像音声の再生や番組表の構成など従来の技術範囲に含まれる内容および固定受信機と同様の内容については説明を省略し、制御手段２０４、番組情報蓄積手段２０８、番組情報記録手段２０７、番組情報記憶装置２０９、番組情報手段２０９について説明する。
【００３８】
制御手段２０４は、信号分離手段２０２にて分離された番組情報データであるＥＩＴを取り出し、番組情報蓄積手段２０８に蓄積する。本実施の形態における携帯受信機は１セグメント放送受信機と呼ばれる１セグメントの地上デジタル放送波のみを受信できる受信機を想定している。送出されるＥＩＴは、Ｌ−ＥＩＴと呼ばれ、地上デジタルの運用仕様では現在番組以降の最大１０番組しか送出されない。
【００３９】
制御手段２０４は取得したＬ−ＥＩＴセクションをファイルとして番組情報蓄積手段２０８に保存する。ファイル名は、”ＬＥＩＴ＿００１０＿４０１０＿００１”などとし、先頭の３文字は、このファイルがＬ−ＥＩＴセクションであることを示し、次の３文字はオリジナルネットワークＩＤ、次の３文字はトランスポートストリームＩＤ、次の３文字はサービスＩＤを表している。
【００４０】
現在番組が終了し次番組が開始さるとＬ−ＥＩＴは更新され、それに伴って、番組情報蓄積手段２０８に保存されている番組情報データファイルも更新される。
【００４１】
番組情報記録手段２０７および番組情報記録装置２０９は図１の１０７および１０９と同様であるが、番組情報記録手段２０７であるメモリーカードスロットに挿入しておくメモリーカードスロットは、固定受信機によって番組情報データであるスケジュールＥＩＴが記録されたメモリーカードである。ここで、視聴者の操作入力などでＥＰＧの起動要求が制御手段２０４に入力すると、制御手段２０４は現在視聴中のチャンネル情報と現在時刻の情報から、表示すべき番組の検索を開始する。この時、挿入されている番組情報記録装置２０９であるメモリーカード上の番組情報データファイルを番組情報記録手段２０７を用いて読み出す。読み出す際には、既に日付情報およびチャンネル情報が明らかになっているためＥＩＴファイルを特定することができる。また、番組情報蓄積手段２０８には、現在番組から最大１０番組分のデータが蓄積されており、チャンネル情報から該当するファイル名を特定することが可能である。制御手段の指示によって、双方のデータファイルが読み込まれ、番組情報結合手段２１０によってデータが結合される。
【００４２】
データ結合の方法としては、双方のＥＩＴファイルを個別の番組データ構造に分解し、番組データ単位で処理を行う。データ統合処理は、番組情報蓄積手段２０８に保存されている番組データを優先するという方針とする。つまり番組情報蓄積手段上に、表示する時間帯に該当するデータが存在すればそのデータを採用し、該当する番組データがない場合は、メモリーカード上の番組データを採用するという方法である。
【００４３】
理由は、番組情報蓄積手段に蓄積されるデータはそのチャンネルを選局している状態であれば、最新のＥＩＴデータが蓄積されており、番組内容も最新である可能性が高いからである。一方、番組情報記録装置であるメモリーカード上のＥＩＴデータは、最大８日前に送出されたデータである可能性もあり、相対的に最新である可能性は低くなるからである。
【００４４】
番組情報データの結合が行われた後、制御手段は、チャンネル、時間順に再構成して番組表のレイアウトを構成する。番組表のレイアウトは典型的にはチャンネル軸と時間軸で区切られる二次元の表示であり、個々の番組がその二次元の空間のどこにどのような大きさで位置するかを決定する。決定された座標値と表示領域（セル）の大きさ、その中に入る文字列などの表示要素をレイアウト情報として決定する。また各セルの表示情報として背景色などの表示の様態が規定される。
【００４５】
また、この番組表は利用者の操作により表示するチャンネルや時間帯を変更可能であり、この動作も制御手段２０４の作用によって行なわれるが、ここでは詳細を省略する。制御手段２０４で構成された表示要素は、表示制御手段２０５によって実際の表示へと変換される。制御手段で決定された座標情報や文字列などのレイアウト情報にもとづいて実際の画面への描画を行なう。表示情報保持手段で規定された番組の表示情報はこの段階で実際の表示へと反映される。最終的にこの表示は合成手段２０５を経由して利用者に提示されることとなる。
【００４６】
携帯受信機で表示されるＥＰＧの表示例を図１２に示す。表示領域が狭いことが想定されるため、１チャンネル表示となっている。これは、フォントの大きさの調整などで、表示チャンネル数を増やすことも可能である。表示時間帯については、一度に表示可能な時間帯は多くはないが、時間帯や日付などを切替える機能などを有している。例えば、次の日の番組表を表示する際には番組情報記憶手段２０９から、次の日の番組データを読み出し、先に説明した処理手順を行い、最終的にひとつの番組表として表示することが可能となる。もし、番組情報蓄積手段の空き記憶容量がある場合は、一度表示したデータ統合後の番組情報データをキャッシュしたり、表示領域周辺の番組表データなども先読みしキャッシュしておくことで、番組表画面の内容が遷移する場合に、キャッシュされたデータを読み込むことで、表示するまでにかかる時間を短縮することも可能になる。
【００４７】
（実施の形態２）
図３および図４は、請求項３記載の固定受信機および、携帯受信機を示すブロック図である。番組情報伝達接続手段３１１以外については、（実施の形態１）と同様である。（実施の形態１）では、番組情報データを番組情報記録装置であるメモリーカード等に記録し、携帯受信機の番組情報記録手段に挿入し携帯受信機の制御手段の情報記録装置に対するアクセスを可能にすることで、二つの受信機の番組情報を統合することを可能にした。
【００４８】
本実施の形態では、番組情報の統合を行う際、データの読み込みを番組情報記録装置３０９を介して行うのではなく、二つの受信機をケーブルで接続することによって行い、記録装置を差し替えることなく番組情報データの統合を実現するものである。
【００４９】
番組情報のデータ送信または受信することを目的としたケーブル接続の方式としては、ＵＳＢ接続をはじめとして、従来のケーブル接続技術を利用できる。これら従来の技術範囲に含まれる内容については説明を省略する。図３における固定受信機において番組情報記録装置３０９に番組情報を記録する動作内容は（実施の形態１）と同様であり、番組情報伝達接続手段３１１を通して、外部の受信機から番組情報記憶装置３０９内の番組データを参照することが可能である。
【００５０】
図４における携帯受信機については、番組情報伝達接続手段４１１以外の動作については、（実施の形態１）に示す携帯受信機の動作と同様である。番組情報伝達接続手段４１１は、外部の固定受信機とのＵＳＢ接続機能を有する。ＵＳＢ接続後の動作として携帯受信機は番組情報伝達接続手段４１１を通して、外部の固定受信機の番組情報記録装置内の番組情報データを参照することが可能になる。制御手段４０４は、使用者の操作入力により、番組情報の統合処理を番組記録装置４０９から読み込むのではなく、外部の固定受信機内の番組記憶装置内の番組情報読み込んで実現できる。その他の動作内容については、（実施の形態１）と同様である。また、請求項４、請求項７、請求項８に記載の放送受信装置についても本実施の形態と同様、ケーブル接続によって番組情報データ、録画予約情報データを伝送することが可能である。
【００５１】
（実施の形態３）
図５および図６は、請求項４記載のデジタル固定受信機および、携帯受信機を示すブロック図である。電源供給手段５１３および、充電手段６１２以外については、（実施の形態２）と同様である。（実施の形態２）では、固定受信機と携帯受信機とをケーブルで接続し、固定受信機上の番組情報データを携帯受信機から読み出した後、番組情報データの統合処理を行うが、本実施の形態では、固定受信機には電源供給手段５１３を備え、番組情報データの転送の際に利用した接続ケーブルを用いて、電源を供給する機能を有する。
【００５２】
また、携帯受信機においては、充電手段６１２を備え、番組情報データの読み込みの際に利用した接続ケーブルを用いて電源供給を受け、その電源を携帯受信機が備えるバッテリーの充電に利用することができる。具体的には、ケーブル接続の方式は（実施の形態２）と同様ＵＳＢ接続を用いることで、電源供給はバスパワーを利用することが可能である。
【００５３】
携帯受信機の場合、動作時の消費電力は少なくする必要があるため、ＵＳＢバスパワーによる電流供給量でまかなうことができる。電源供給と番組情報データの更新をひとつのケーブル接続で行うことができるため、頻繁に行う携帯受信機の充電作業と同時に番組情報データも更新されるため、使用者は特別な意識をすることなく番組情報データの更新を実現できる。
【００５４】
（実施の形態４）
図７および図８は、請求項５記載の固定受信機および携帯受信機であり。予約情報制御手段７１５を備えることを特徴としており、その他の動作および機能については、実施の形態１、２、３と同様である。一般にデジタル放送受信機は、録画予約機能を備えている場合が多い。録画予約機能とは、将来放送される番組を録画する目的でその番組名や開始時間などを受信機に設定しておき、設定された時間に受信機が自動的に目的の番組を選局し、受信機内部の録画装置や外部の録画装置に録画を実行する機能である。
【００５５】
本実施の形態では、この録画予約機能に関する情報を蓄積および管理する予約情報制御手段７１５を備えることを特徴としており、それ以外の機能や動作内容については、実施の形態１、２、３と同様である。図７の予約情報制御手段７１５は、録画予約設定が行われた際に設定され、録画予約された番組のチャンネル番号、開始時間、終了時間などの情報を管理している。
【００５６】
制御手段７０４は、携帯受信機が番組情報データを統合するために、（実施の形態１）や（実施の形態２）などの方法で情報を伝達するが、その番組情報データと同時に予約情報制御手段７１５で管理している予約情報データも併せて伝達する。伝達する手段は、（実施の形態１）や（実施の形態２）で示した方法を利用することができる。また、携帯受信機では、取得した録画予約情報を図８に示す予約情報制御手段８１４で管理し、携帯受信機上に予約された番組情報を表示することができる。
【００５７】
（実施の形態５）
図９は、請求項６記載の携帯受信機のブロック図を示しており、アラーム制御手段９１４以外については、（実施の形態４）と同様の動作である。
【００５８】
アラーム制御手段９１４の動作内容について説明を行う。携帯電話の多くには、時計表示機能の他に、アラーム設定機能が搭載されている。これは使用者がある時刻を設定すると、その時刻に携帯電話からアラーム音が発せられるという機能である。本実施の形態では、このアラーム機能を録画予約もしくは視聴予約した番組の開始を使用者に知らせるという目的で利用する。
【００５９】
具体的には、携帯受信機の録画予約情報制御部では、固定受信機から取得したデータが蓄積されている。制御手段９０４は、使用者からの設定もしくは指示信号により、予約情報制御部９１５で管理している番組の開始時間をアラームの設定時刻として、アラーム制御手段９１４に設定を行う。この結果、予約された番組の開始時間に合わせて携帯受信機からアラーム音が出力する。その他の機能に関しては、（実施の形態４）と同様である。
【産業上の利用可能性】
【００６０】
本発明によれば、携帯受信機と固定受信機との間で番組情報データのやりとりを行うことができるため、番組を表示可能な全ての携帯受信機で有用である。
【図面の簡単な説明】
【００６１】
【図１】本発明の実施の形態１における固定受信機を示すブロック図
【図２】本発明の実施の形態１における携帯受信機を示すブロック図
【図３】本発明の実施の形態２における固定受信機を示すブロック図
【図４】本発明の実施の形態２における携帯受信機を示すブロック図
【図５】本発明の実施の形態３における固定受信機を示すブロック図
【図６】本発明の実施の形態３における携帯受信機を示すブロック図
【図７】本発明の実施の形態４における固定受信機を示すブロック図
【図８】本発明の実施の形態４における携帯受信機を示すブロック図
【図９】本発明の実施の形態５における携帯受信機を示すブロック図
【図１０】従来の技術におけるデジタル放送受信機能付携帯電話機の構成図
【図１１】番組情報データを表示する際の一例を示す図
【図１２】携帯受信機で番組データを表示する際の一例を示す図
【符号の説明】
【００６２】
１０１、２０１、３０１、４０１、５０１、６０１、７０１、８０１、９０１    受信手段
１０２、２０２、３０２、４０２、５０２、６０２、７０２、８０２、９０２    信号分離手段
１０３、２０３、３０３、４０３、５０３、６０３、７０３、８０３、９０３    映像音声再生手段
１０４、２０４、３０４、４０４、５０４、６０４、７０４、８０４、９０４    制御手段
１０５、２０５、３０５、４０５、５０５、６０５、７０５、８０５、９０５    表示制御手段
１０６、２０６、３０６、４０６、５０６、６０６、７０６、８０６、９０６    合成手段
１０７、２０７、３０７、４０７、５０７、６０７、７０７、８０７、９０７    番組情報記録手段
１０８、２０８、３０８、４０８、５０８、６０８、７０８、８０８、９０８    番組情報蓄積手段
１０９、２０９、３０９、４０９、５０９、６０９、７０９、８０９、９０９    番組情報記録装置
２１０、４１０、６１０、８１０、９１０    番組情報統合手段
３１１、４１１、５１１、６１１、７１１、８１１、９１１    番組情報伝達接続手段
６１２、８１２、９１２    充電手段
５１３、７１３    電源供給手段
７１５、８１５、９１５    予約情報制御手段
９１４    アラーム制御手段
１０２０    ＴＶ放送受信部
１０２１    表示部
１０２２    音声再生部
１０２３    操作部
１０２４    番組情報解析部
１０２５    番組情報格納部
１０２６    電子メール解析部
１０２７    無線部
１０２８    電子メール作成部
【図１】
2006041583.tif 000003
【図２】
2006041583.tif 000004
【図３】
2006041583.tif 000005
【図４】
2006041583.tif 000006
【図５】
2006041583.tif 000007
【図６】
2006041583.tif 000008
【図７】
2006041583.tif 000009
【図８】
2006041583.tif 000010
【図９】
2006041583.tif 000011
【図１０】
2006041583.tif 000012
【図１１】
2006041583.tif 000013
【図１２】
2006041583.tif 000014